(57)【特許請求の範囲】
【請求項１】
異なる外観を有する複数のメモリカードそれぞれに記憶されている複数のファイルそれぞれに、前記ファイルを記憶しているメモリカードに記憶されているカードＩＤ情報を関連付けて記憶する第１記憶手段を管理するための第１記憶管理手段と、
前記複数のメモリカードのいずれかの外観を認識する認識手段と、
前記第１記憶手段に記憶されている複数のファイルのうち、前記認識手段により外観が認識されたメモリカードに記憶されているファイルの選択をする選択手段と、
前記選択手段により選択されたファイルに関連付けられているカードＩＤ情報の検索をする検索手段と、
前記認識手段による前記複数のメモリカードのいずれかの外観を認識した結果に、前記検索手段により検索がされたカードＩＤ情報を、関連付けて記憶する第２記憶手段を管理するための第２記憶管理手段と、
を備え、
前記複数のメモリカードのいずれかの外観の認識を再度すると、前記再度の認識の結果に関連付けて前記第２記憶手段に記憶されているカードＩＤ情報に関連づけて前記第１記憶手段に記憶されているファイルに関する情報を出力する携帯情報端末。
【請求項２】
前記認識手段は、前記複数のメモリカードのいずれかの外観に含まれるバーコード情報を認識し、前記複数のメモリカードのいずれかの外観を認識した結果は、前記バーコード情報をデコードした情報である請求項１に記載の携帯情報端末。
【請求項３】
前記複数のメモリカードのいずれかの外観に含まれるバーコード情報をデコードした情報は、前記複数のメモリカードのいずれに記憶されているカードＩＤ情報と異なる請求項２に記載の携帯情報端末。
【請求項４】
異なる外観を有する複数のメモリカードのいずれか一のメモリカードに記憶されている複数のファイルと前記一のメモリカードに記憶されているカードＩＤ情報とを読み取る情報端末より、前記複数のファイルと前記カードＩＤ情報との受信をする受信手段を有し、
前記受信手段により受信をされた複数のファイルそれぞれに前記受信をされたカードＩＤ情報を関連付けて前記第１記憶手段に記憶する請求項１に記載の携帯情報端末。
【請求項５】
計算機としての携帯情報端末に、
異なる外観を有する複数のメモリカードのいずれか一のメモリカードに記憶されている複数のファイルと前記一のメモリカードに記憶されているカードＩＤ情報とを読み取る情報端末より、前記複数のファイルと前記カードＩＤ情報との受信をさせ、
前記受信をされた複数のファイルそれぞれに前記受信をされたカードＩＤ情報を関連付けて第１記憶手段に記憶させ、
前記複数のメモリカードのいずれかの外観を認識させ、
前記第１記憶手段に記憶させた複数のファイルに関する情報の表示をさせ、前記表示をさせた複数のファイルから一のファイルの選択をさせ、
前記選択をさせた一のファイルに関連付けて前記第１記憶手段に記憶されているカードＩＤ情報の検索をさせ、
前記複数のメモリカードのいずれかの外観を認識させた結果に、前記検索をさせたカードＩＤ情報を、関連付けて第２記憶手段に記憶させ、
前記複数のメモリカードのいずれかの外観の認識が再度されると、前記再度の認識の結果に関連付けて前記第２記憶手段に記憶されているカードＩＤ情報に関連づけて前記第１記憶手段に記憶されているファイルに関する情報を出力させるためのプログラム。
【請求項６】
前記複数のメモリカードのいずれかの外観の認識が再度されると、前記再度の認識の結果に関連付けられていないファイルの表示をしない請求項５に記載の、プログラム。
【請求項７】
前記複数のメモリカードのいずれかの外観に含まれるバーコード情報を認識させ、前記複数のメモリカードのいずれかの外観を認識させた結果は、前記バーコード情報をデコードした情報である請求項５に記載の、プログラム。
【請求項８】
前記複数のメモリカードのいずれかの外観に含まれるバーコード情報をデコードさせた情報は、前記複数のメモリカードのいずれに記憶されているカードＩＤ情報と異なる請求項７に記載の、プログラム。
【請求項９】
異なる外観を有する複数のメモリカードのいずれか一のメモリカードに記憶されている複数のファイルと前記一のメモリカードに記憶されているカードＩＤ情報とを読み取る情報端末より、前記複数のファイルと前記カードＩＤ情報との受信をし、
前記受信をされた複数のファイルそれぞれに前記受信をされたカードＩＤ情報を関連付けて第１記憶手段に記憶し、
前記複数のメモリカードのいずれかの外観を認識し、
前記第１記憶手段に記憶されている複数のファイルに関する情報の出力をし、前記表示をした複数のファイルから一のファイルの選択をし、
前記選択をされた一のファイルに関連付けて前記第１記憶手段に記憶されているカードＩＤ情報の検索をし、
前記複数のメモリカードのいずれかの外観を認識した結果に、前記検索がされたカードＩＤ情報を、関連付けて第２記憶手段に記憶し、
前記複数のメモリカードのいずれかの外観の認識を再度すると、前記再度の認識の結果に関連付けて前記第２記憶手段に記憶されているカードＩＤ情報に関連づけて前記第１記憶手段に記憶されているファイルに関する情報を出力することを含む、携帯情報端末の動作方法。
【発明の詳細な説明】
【技術分野】
【０００１】
本発明は、画像表示方法などに関する。特にメモリカードに記憶された画像情報などのファイルに関する情報を出力するスマートフォンなどの携帯情報端末ならびに情報出力システム、情報出力システムの動作方法、プログラムおよびそのようなプログラムを記憶した記憶媒体などに関する。
【背景技術】
【０００２】
情報記録機器、特にデジタルカメラの普及にともない、撮影および撮影写真の閲覧に係るコストが下がったことから、フィルム方式のカメラが主流だった時代に比べて、多数の写真が撮影されるようになった。またスマートフォンの普及にともない、デジタルカメラとスマートフォンの両方を持つ利用者が増え、撮影される写真の数はさらに増大している。デジタルカメラもコンパクトタイプ、一眼レフ、ミラーレスなど多様な製品が利用可能になったことから、複数のデジタルカメラを持つ利用者も多い。
【０００３】
このようにして大量に撮影された写真の多くはメモリカードにファイルの形式により記憶される。上記のように利用者１人あたりで複数の撮像端末を持つ場合が多く、撮像端末各々に異なる複数のメモリカードを利用している。撮影する写真が蓄積されるに従い、利用者１人あたりの保有するメモリカード数は増加している。多くの利用者は、メモリカードに保存した画像データを、他端末に退避の上消去して、メモリカードを再利用することはせず、容量が一杯になったメモリカードを、画像情報の保存メディアとしてそのまま保有を続けている。このため、１人の利用者が保有するメモリカードの数はさらに増大する。メモリカードを整理するために、多数のメモリカードを収納ケースなどが広く使われている。
【先行技術文献】
【特許文献】
【０００４】
【特許文献１】特開平６−３３３３２６号公報
【特許文献２】特開平８−８７５６７号公報
【特許文献３】特開２００５−３０２１３５号公報
【特許文献４】特開２０００−９０２２８号公報
【特許文献５】特開２００２−１３２７９３号公報
【発明の概要】
【発明が解決しようとする課題】
【０００５】
通常、メモリカードには、製造過程でメモリ容量、速度、製造者などを目視可能なラベルが貼付されている。利用者の多くは、このラベルにカードの番号や撮影日時などを筆記用具で物理的に書き込むなどして、多数のメモリカードに、どのような画像情報などの情報が記憶されているかを管理している。しかし、カードへの書き込み作業は煩雑であり、またカードの面積が小さいため、書き込める情報が少ない。また、メモリカードにどの画像などの情報が記憶されているかを、書き込んだ限られた情報から推測することは困難である。さらに、メモリカードに記憶された画像情報などの情報を消去して新たな情報を記憶した場合などに対応できないといった問題もある。メモリカード各々に、どのような画像情報などの情報が記憶されているかを、簡単に参照することができれば、利用者が多数保有するメモリカードの管理が容易になる。
【０００６】
ビデオテープや磁気ディスクなどの記録媒体については、類似の課題を解決する従来技術としては、以下のような提案がある。たとえば、記録媒体に記録された情報からそのメタ情報を抽出してラベルを印字する装置が提案されている（特許文献１）。これにより人手によるラベル情報記入を省略できる。また記録媒体の検索に必要な日付、題名や要旨などのメタ情報を多次元バーコード化して記録媒体に貼付し、この多次元バーコードを読み取ることで記録媒体内の情報を推測するための技術が提案されている（特許文献２）。さらに、非接触で読み出せ、かつより多くのメタ情報を読み出せるＩＣタグを有する記録媒体を利用して、記録媒体内の情報を推測するための技術が提案されている（特許文献３）。またＩＣタグとバーコードが一体化した構造のＩＤカードも提案されている（特許文献４）。
【０００７】
これら従来技術では、記録媒体内の情報と、ラベルに印字されるバーコードの対応関係を、記録媒体製造時に保証する必要がある。このため、映画や音楽などのコンテンツを光学ディスクなどに記録したものを販売し、利用者がそのコンテンツを検索するような場合には有効である。しかし、デジタルカメラの画像記憶に用いるメモリカードのように、出荷時にその記憶内容が確定していない場合には有効ではない。また、光学ディスクやメモリカードなどの記録媒体製造時に、記憶媒体を特定するＩＤ情報を、電気的、光学的または磁気的に書き込んだ上、さらにラベルにもこれに対応するＩＤを文字情報またはバーコードで印字するには、記録媒体製造に付加的なコストがかかる。
【０００８】
このような問題を解決するため、記録媒体から読み出した情報をもとにメタ情報を生成した上、このメタ情報を書き換え可能なラベルにバーコードとして書き込む装置が提案されている（特許文献５）。このようにバーコードを動的に変化させる技術は、デジタルカメラの画像記憶に用いられるメモリカードの記憶内容を管理するには有効である。しかし、書き換え可能なラベルは高価であるだけでなく、バーコードを書き換える機構を組み込むことは容易ではないため、このような技術は普及していない。
【０００９】
情報記録機器、特にデジタルカメラで撮影された画像情報などの情報を不揮発的に記憶するメモリカード（以下、「メモリカード」という。）の場合、記憶された画像情報を簡単に参照する方法は提案がない。考えられる方法の一例は、上記先行技術のように１枚ごとに異なる二次元バーコードを印刷するものである。メモリカードに記憶された画像情報とともに、上記二次元バーコードに対応するタグ情報をスマートフォンなどの携帯端末に送った上で、スマートフォンの備えるカメラなどで上記二次元バーコードを読み取ることで、上記メモリカードに記憶された画像情報を選択的にスマートフォンに表示する。ただしこの場合も、メモリカード製造時にメモリカード上に１枚ずつ異なるバーコードを印刷した上、各々のバーコードに対応する、電気的に読み出し可能なタグ情報を個々のメモリカードに書き込むという工程が必要になり、製造コストが上昇する。したがって、上記前記特許文献１乃至５の従来技術と同様に、広く使われるに至らない。
【００１０】
すなわち、メモリカードの製造コスト上昇を最小限とし、かつメモリカード表面に印刷されたバーコード情報と、電気的に読み出し可能なタグ情報の対応付け保証することができる技術が求められている。
【００１１】
本発明は、このような状況に鑑みてなされたものであり、メモリカードの製造時のコスト上昇がほとんどないにもかかわらず、携帯情報端末のカメラでメモリカードの外観を撮影するだけで、メモリカードに記憶された画像などを含むファイルに関する情報を携帯情報端末で簡単に見ることができる。本発明は、これにより利用者による画像情報の管理を容易にする方法、システム、情報端末およびメモリカードなどを提供する。
【課題を解決するための手段】
【００１２】
本発明の一実施形態として、第１記憶管理手段と、認識手段と、選択手段と、検索手段と、第２記憶管理手段とを備える携帯端末を提供する。前記第１記憶管理手段は、異なる外観を有する複数のメモリカードそれぞれに記憶されている複数のファイルそれぞれに、前記ファイルを記憶しているメモリカードに記憶されているカードＩＤ情報を関連付けて記憶する第１記憶手段を管理するための手段である。前記認識手段は、前記複数のメモリカードのいずれかの外観を認識する。前記選択手段は、前記第１記憶手段に記憶されている複数のファイルのうち、前記認識手段により外観が認識されたメモリカードに記憶されているファイルの選択をする。前記検索手段は、前記選択部により選択されたファイルに関連付けられているカードＩＤ情報の検索をする。前記第２記憶管理手段は、前記認識手段による前記複数のメモリカードのいずれかの外観を認識した結果に、前記検索手段により検索がされたカードＩＤ情報を、関連付けて記憶する第２記憶手段を管理するための手段である。前記携帯端末は、前記複数のメモリカードのいずれかの外観の認識を再度すると、前記再度の認識の結果に関連付けて前記第２記憶手段に記憶されているカードＩＤ情報に関連づけて前記第１記憶手段に記憶されているファイルに関する情報を出力する。
【００１３】
本発明の一実施形態として、携帯端末の動作方法を提供する。この動作方法は、異なる外観を有する複数のメモリカードのいずれか一のメモリカードに記憶されている複数のファイルと前記一のメモリカードに記憶されているカードＩＤ情報とを読み取る情報端末より、前記複数のファイルと前記カードＩＤ情報との受信をし、前記受信をされた複数のファイルそれぞれに前記受信をされたカードＩＤ情報を関連付けて第１記憶手段に記憶し、前記複数のメモリカードのいずれかの外観を認識し、前記第１記憶手段に記憶されている複数のファイルに関する情報の表示をし、前記表示をした複数のファイルから一のファイルの選択をし、前記選択をされた一のファイルに関連付けて前記第１記憶手段に記憶されているカードＩＤ情報の検索をし、前記複数のメモリカードのいずれかの外観を認識した結果に、前記検索がされたカードＩＤ情報を、関連付けて第２記憶手段に記憶し、前記複数のメモリカードのいずれかの外観の認識を再度すると、前記再度の認識の結果に関連付けて前記第２記憶手段に記憶されているカードＩＤ情報に関連づけて前記第１記憶手段に記憶されているファイルに関する情報を出力することを含む。
【００１４】
本発明の一実施形態として、計算機としての携帯端末に、異なる外観を有する複数のメモリカードのいずれか一のメモリカードに記憶されている複数のファイルと前記一のメモリカードに記憶されているカードＩＤ情報とを読み取る情報端末より、前記複数のファイルと前記カードＩＤ情報との受信をさせ、前記受信をされた複数のファイルそれぞれに前記受信をされたカードＩＤ情報を関連付けて第１記憶手段に記憶させ、前記複数のメモリカードのいずれかの外観を認識させ、前記第１記憶手段に記憶させた複数のファイルに関する情報の表示をさせ、前記表示をさせた複数のファイルから一のファイルの選択をさせ、前記選択をさせた一のファイルに関連付けて前記第１記憶手段に記憶されているカードＩＤ情報の検索をさせ、前記複数のメモリカードのいずれかの外観を認識させた結果に、前記検索をさせたカードＩＤ情報を、関連付けて第２記憶手段に記憶させ、前記複数のメモリカードのいずれかの外観の認識が再度されると、前記再度の認識の結果に関連付けて前記第２記憶手段に記憶されているカードＩＤ情報に関連づけて前記第１記憶手段に記憶されているファイルに関する情報を出力させるためのプログラムを提供する。
【００１５】
本発明の一実施形態として、光学的読取り手段、画像表示手段および入力手段を備える第１の情報端末の動作方法を提供する。この動作方法は、第１の情報端末の動作方法が、第１のメモリカードを一意に特定可能で電気的に読出し可能な第１のＩＤ情報と第１の画像情報を、前記第１のメモリカードより、第２の情報端末およびネットワークを経由して受信し、前記第１のＩＤ情報と前記第１の画像情報を関連づけて前記第１の情報端末の有する第１の記憶テーブルに記憶し、第２のメモリカードを一意に特定可能で電気的に読出し可能な第２のＩＤ情報と第２の画像情報を、前記第２のメモリカードより、前記第２の情報端末および前記ネットワークを経由して受信し、前記第２のＩＤ情報と前記第２の画像情報を関連づけて前記第１の記憶テーブルに記憶し、前記第１のメモリカードの有する光学的読み取り可能な第３のＩＤ情報を前記光学的読取り手段で読み取って記憶し、前記第１の画像情報から生成される第１の画像および前記第２の画像情報から生成される第２の画像を含む第３の画像を前記画像表示手段に表示し、前記入力手段で前記第３の画像中の前記第１の画像が選択されると、前記第１のＩＤ情報と前記第３のＩＤ情報を関連づけて前記第１の情報端末の有する第２の記憶テーブルに記憶し、再び前記光学的読取り手段で前記第３のＩＤ情報を読み取ると、前記第３のＩＤ情報を検索キーとして前記第２の記憶テーブルを検索して、前記第３のＩＤ情報に関連づけられた前記第１のＩＤ情報を得て、
前記第１のＩＤ情報を検索キーとして前記第１のテーブルを検索して、前記第１のＩＤ情報に関連づけられた前記第１の画像情報を得て、前記画像表示手段に前記第１の画像を含みかつ前記第２の画像を含まない第４の画像を表示すること含む。
【００１６】
本発明の一実施形態として、光学的読取り手段、画像表示手段および入力手段を備える第１の情報端末の動作方法を提供する。この動作方法は、第１の情報端末が、第１のメモリカードを一意に特定可能で電気的に読出し可能な第１のＩＤ情報と第１の画像情報を、前記第１のメモリカードより、第２の情報端末およびネットワークを経由して受信し、前記第１のＩＤ情報と前記第１の画像情報を関連づけて前記第１の情報端末の有する記憶テーブルに記憶し、第２のメモリカードを一意に特定可能で電気的に読出し可能な第２のＩＤ情報と第２の画像情報を、前記第２のメモリカードより、前記第２の情報端末および前記ネットワークを経由して受信し、前記第２のＩＤ情報と前記第２の画像情報を関連づけて前記記憶テーブルに記憶し、前記第１のメモリカードの有する光学的読み取り可能な第３のＩＤ情報を前記光学的読取り手段で読み取って記憶し、前記第１の画像情報から生成される第１の画像および前記第２の画像情報から生成される第２の画像を含む第３の画像を前記画像表示手段に表示し、前記入力手段で前記第３の画像中の前記第１の画像が選択されると、前記記憶テーブルに記憶された前記第１の画像情報に関連づけて前記第３のＩＤ情報を記憶し、再び前記光学的読み取り手段で前記第３のＩＤ情報を読み取ると、前記第３のＩＤ情報で前記情報テーブルを検索して、前記第３のＩＤ情報に関連づけて記憶された前記第１の画像情報を得て、前記画像表示手段に前記第１の画像を含みかつ前記第２の画像を含まない第４の画像を表示することを含む。
【００１７】
本発明の一実施形態として、光学的読取り手段、画像表示手段および入力手段を備える情報端末の動作方法を提供する。この動作方法は、情報端末が、第１のメモリカードを一意に特定可能で電気的に読出し可能な第１のＩＤ情報と第１の画像情報を、前記第１のメモリカードより受信し、前記第１のＩＤ情報と前記第１の画像情報を関連づけて前記情報端末の有する第１の記憶テーブルに記憶し、第２のメモリカードを一意に特定可能で電気的に読出し可能な第２のＩＤ情報と第２の画像情報を、前記第２のメモリカードより受信し、前記第２のＩＤ情報と前記第２の画像情報を関連づけて前記第１の記憶テーブルに記憶し、前記光学的読取り手段で、前記第１のメモリカードの有する光学的読み取り可能な第３のＩＤ情報を読み取って記憶し、前記第１の画像情報から生成される第１の画像および前記第２の画像情報から生成される第２の画像を含む第３の画像を前記画像表示手段に表示し、前記入力手段で前記第３の画像中の前記第１の画像が選択されると、前記第１のＩＤ情報と前記第３のＩＤ情報を関連づけて前記情報端末の有する第２の記憶テーブルに記憶し、再び前記光学的読取り手段で前記第３のＩＤ情報を読み取ると、前記第３のＩＤ情報を検索キーとして前記第２のテーブルを検索して、前記第３のＩＤ情報に関連づけられた前記第１のＩＤ情報を得て、前記第１のＩＤ情報を検索キーとして前記第１のテーブルを検索して、前記第１のＩＤ情報に関連づけられた前記第１の画像情報を得て、
前記画像表示手段に前記第１の画像を含みかつ前記第２の画像を含まない第４の画像を表示することを含む。
【００１８】
本発明の一実施形態として、光学的読取り手段、画像表示手段および入力手段を備える情報端末の動作方法を提供する。この動作方法は、情報端末が、第１のメモリカードを一意に特定可能で電気的に読出し可能な第１のＩＤ情報と第１の画像情報を、前記第１のメモリカードより受信し、前記第１のＩＤ情報と前記第１の画像情報を関連づけて前記情報端末の有する記憶テーブルに記憶し、第２のメモリカードを一意に特定可能で電気的に読出し可能な第２のＩＤ情報と第２の画像情報を、前記第２のメモリカードより受信し、前記第２のＩＤ情報と前記第２の画像情報を関連づけて前記記憶テーブルに記憶し、前記光学的読取り手段で、前記第１のメモリカードの有する光学的読み取り可能な第３のＩＤ情報を読み取って記憶し、前記第１の画像情報から生成される第１の画像および前記第２の画像情報から生成される第２の画像を含む第３の画像を前記画像表示手段に表示し、前記入力手段で前記第３の画像中の前記第１の画像が選択されると、前記記憶テーブルに記憶された前記第１の画像情報に関連づけて前記第３のＩＤ情報を記憶し、再び前記光学的読み取り手段で前記第３のＩＤ情報を読み取ると、前記第３のＩＤ情報で前記情報テーブルを検索して、前記第３のＩＤ情報に関連づけて記憶された前記第１の画像情報を得て、前記画像表示手段に前記第１の画像を含みかつ前記第２の画像を含まない第４の画像を表示することを含む。
【００１９】
本発明の一実施形態として、第１の情報端末の動作方法を提供する。この動作方法は、第１の情報端末が、第１のメモリカードを一意に特定可能で電気的に読み出し可能な第１のＩＤ情報および第１の画像情報を前記第１のメモリカードより読み出し、前記第１の画像情報を縮小した第１の縮小画像情報を生成して記憶し、第２のメモリカードを一意に特定可能で電気的に読み出し可能な第２のＩＤ情報および第２の画像情報を前記第２のメモリカードより読み出し、前記第２の画像情報を縮小した第２の縮小画像情報を生成して記憶し、次に光学的読取り手段、画像表示手段および入力手段を備える第２の情報端末が、
前記第１の縮小画像情報および前記第１のＩＤ情報を前記第１の情報端末より受信した上これらを関連づけて第１の情報テーブルに記憶し、前記第２の縮小画像情報および前記第２のＩＤ情報を前記第１の情報端末より受信した上これらを関連づけて前記第１の情報テーブルに記憶し、前記第１のメモリカードの有する光学的読み取り可能な第３のＩＤ情報を前記光学的読取り手段で読み取って記憶し、前記第１の縮小画像情報から生成される第１の画像および第２の縮小画像情報から生成される第２の画像を含む第３の画像を前記表示手段に表示し、前記入力手段で前記第３の画像中の前記第１の画像が選択されると、前記第１のＩＤ情報と前記第３のＩＤ情報を関連づけて前記第２の情報端末の有する第２の記憶テーブルに記憶し、再び前記光学的読取り手段で前記第３のＩＤ情報を読み取ると、
前記第３のＩＤ情報を検索キーとして前記第２の記憶テーブルを検索して、前記第３のＩＤ情報に関連づけられた前記第１のＩＤ情報を得て、前記第１のＩＤ情報を検索キーとして前記第１のテーブルを検索して、前記第１のＩＤ情報に関連づけられた前記第１の縮小画像情報を得て、前記第１の前記画像表示手段に前記第１の画像を含みかつ前記第２の画像を含まない第４の画像を表示することを含む。
【発明の効果】
【００２０】
本発明によれば、メモリカードなどの記憶媒体の外観を携帯情報端末のカメラで撮影することにより、メモリカードに記憶されたファイルに関する情報を選択的に得ることができる。にもかかわらず製造時に、メモリカードを識別するためのメモリカード１枚ごとに異なるタグ情報を記憶媒体に記憶させなくてよいので、本発明によらない一般のメモリカードに比べて製造コストの上昇を招かないようにできる。
【図面の簡単な説明】
【００２１】
【図１】（ａ）本発明の一実施形態に係る画像表示システムを実現するための、携帯情報端末の一例図、（ｂ）タッチスクリーンの一例図
【図２】（ａ）本発明の一実施形態に係るメモリカードの一例図（ｂ）ラベルの貼付されたメモリカードの一例図
【図３】本発明の一実施形態に係る情報端末の概略構成図
【図４】本発明の一実施形態に係る処理のフロー図
【図５】本発明の一実施形態に係る処理のフロー図
【図６】（ａ）本発明の一実施形態に係る、メモリカードと電気的に接続される情報端末の保存画像情報テーブルの一例図（ｂ）本発明の一実施形態に係る、メモリカードと電気的に接続される情報端末の保存画像テーブルの一例図
【図７】本発明の一実施形態に係る、メモリカードのラベルを光学的に読み取る携帯情報端末の保存画像情報テーブルの一例図
【図８】本発明の一実施形態に係る処理のフロー図
【図９】本発明の一実施形態に係る、携帯情報端末の画像一覧画面の一例図
【図１０】本発明の一実施形態に係る、携帯情報端末の表示画面の一例図
【図１１】本発明の一実施形態に係る、携帯情報端末の表示画面の一例図
【図１２】本発明の一実施形態に係る、カードＩＤ対応テーブルの一例図
【図１３】本発明の一実施形態に係る処理のフロー図
【図１４】本発明の一実施形態に係る、携帯情報端末のメモリカードに記憶された画像表示画面の一例図
【発明を実施するための形態】
【００２２】
以下に本発明を実施するための、現在考えられる最善の形態について説明する。本発明の範囲は、添付特許請求の範囲によって明確に定義されているため、この説明は限定的な意味に解釈すべきではなく、単に発明の一般原理を例示する目的で行う。なお、以下の説明においては、主にファイルには、画像情報が格納され、ファイルに関する情報が出力されるとは、画像情報の画像が表示装置に表示されることとして説明を行う。ただし、ファイルには、いかなる情報、例えば、音楽情報、映像情報などが格納されていてもよく、ファイルに関する情報の出力には、音楽情報や映像情報の再生や、楽曲などの情報の表示などが含まれる。
【００２３】
図１（ａ）は、本発明の実施形態の一例である画像表示システムを実現するための、携帯情報端末の一例である。携帯情報端末１０１は、タッチスクリーン１２０、光学的読み取り手段１０３および入力手段１０２を有する。タッチスクリーン１２０は、携帯情報端末１０１に対する入力機能と表示機能を有する。図１（ｂ）は、タッチスクリーン１２０の概略構成図の一例である。タッチスクリーン１２０は、液晶表示ユニット１２１、タッチ位置検出ユニット１２２および透明保護パネル１２３を積層した構造を有する。液晶表示ユニット１２１は表示機能を提供し表示手段として動作する。また、タッチ位置検出ユニット１２２が入力機能を提供する。携帯情報端末１０１の利用者は、液晶表示ユニット１２１で表示された図形やアイコンなどの表示に応じて、透明保護パネルを指１００などで接触することにより、タッチ位置検出ユニット１２２がタッチスクリーン上で接触された位置を検出し、これを入力情報として利用する。
【００２４】
図２は、本発明の実施形態の一例である画像表示システムを実現するための、メモリカードの外観の一例である。図２（ａ）がメモリカード２００正面の外観、図２（ｂ）が同じメモリカード２００の背面の外観の一例である。メモリカード背面にはラベル２１０が貼り付けられており、ラベル２１０にはメモリカードに関する情報が表示されている。メモリカード２００はその内部に記憶素子を有し、電気的入出力端子２０１を経由して情報の書き込みによる記憶および情報の読み出しによる出力がおこなわれる。
【００２５】
本発明の実施形態の一例であるメモリカード２００には、メモリカード２００を一意に特定可能なカードＩＤコード２１１が表示されている。一意とは、複数のメモリカード２００の特定の集合において、メモリカード２００を特定することができることをいう。例えば、一人の利用者やさらにその利用者の家族や知人が所持するメモリカード２００の集合を考えた場合に、その一人の利用者やその知人が所持するメモリカード２００それぞれのカードＩＤコード２１１が異なり、外観が異なっていることをいう。
【００２６】
図２（ｂ）の一例ではカードＩＤコード２１１は「８４６５１２」であるとする。これは本発明の原理を説明するための一例であり、図８および図１２の説明で利用する。図２（ｂ）の一例において、カードＩＤコード２１１として二次元バーコードがメモリカード２００の外観に含まれて表示されているが、ＩＤ情報が光学的に読み取り可能な表示であればどのような方法でメモリカード２００の外観に含まれて表示されていてもよい。たとえば一次元バーコード、文字、数字など、携帯情報端末１０１が認識することができる情報でもよい。また、携帯情報端末１０１が認識することが可能であれば、一般的な映像や、手書きの文字、記号であってもよい。ただし、バーコードを用いることにより、カードＩＤコード２１１のデコードをより確実に行うことができる。なお、図２（ｂ）の一例では、カードＩＤコード２１１はラベル２１０上に表示されているが、カードＩＤコード２１１はメモリカードのパッケージ本体などに表示されていてもよい。
【００２７】
図３に、本発明の実施形態の一例であるシステムの概略構成図の一例を示す。携帯情報端末１０１は、処理部３１０、外部記憶手段３２１、光学的読み取り手段１０３、タッチスクリーン１２０および通信手段３３０を有する。携帯情報端末１０１は、通信手段３３０、ネットワーク３００経由して、メモリカードとの電気的入出力手段３８０を有する情報端末３０１と通信することができる。ネットワーク３００は所謂Ｌｏｃａｌ  Ａｒｅａ  Ｎｅｔｗｏｒｋでもよく、またサーバを経由するインターネットでもよい。情報端末３０１は、処理部３５０、外部記憶手段３６１、通信手段３７１、入力手段３７２、表示手段３７３および電気的入出力手段３８０を有する。なお、外部記憶手段３６１の外部という形容詞は、処理部３５０の外部に配置されているという意味で用いられている。メモリカード２００は、電気的入出力端子２０１および記憶手段３９１を有する。記憶手段３９１には、画像情報３９２およびカードＩＤ情報３９３が記憶される。ここで説明する本発明の実施形態の一例では、画像情報３９２はたとえば、電気的入出力端子２０１を経由して、カメラ等の情報端末より記憶手段３９１にあらかじめ書き込まれ、記憶されているとする。図４、図５、図８および図１３のフロー図で説明する本発明の実施形態の一例では、カードＩＤ情報３９３は、メモリカード２００が情報端末３０１に初めて接続された時に、情報端末３０１が生成してメモリカード２００に書き込まれメモリカード２００に記憶することができる。本発明の実施形態の他の一例では、カードＩＤ情報３９３は、メモリカード２００の製造時などにあらかじめメモリカードの記憶手段３９１に記憶されていてもよい。カードＩＤ情報３９３は、メモリカード２００を一意に特定可能な情報であれば何でもよい。本発明では、カードＩＤ情報３９３は、ラベル上のカードＩＤコード２１１と同じでも、異なっていてもよい。またカードＩＤ情報３９３は、カードＩＤコード２１１より一意に導き出されるものであっても、一意に導き出されないものであってもよい。カードＩＤコード２１１は、カードＩＤ情報３９３より一意に導き出されるものであっても、一意に導き出されないものであってもよい。以下、図４、図５、図８および図１３のフロー図で説明する本発明の実施形態の一例では、カードＩＤ情報３９３およびカードＩＤコード２１１より導き出される光学読取りカードＩＤ情報は異なり、かつカードＩＤ情報３９３よりカードＩＤコード２１１を導き出すことも、またカードＩＤコード２１１よりカードＩＤ情報３９３を導き出すこともできないとして説明する。すなわち、カードＩＤコード２１１とカードＩＤ情報３９３とを異ならせることができる。
【００２８】
このように、カードＩＤコードとカードＩＤ情報とを異ならせてもよいことにより、カードＩＤコードとカードＩＤ情報とが一致していることを確認する必要がなくなり、また、カードＩＤコードとカードＩＤ情報との管理の手間を発生させることなく、カードＩＤコードの生成とカードＩＤ情報の生成とを異なる者が異なる時に行うことができる。したがって、メモリカードの製造コストや管理コストの増加を招かないようにすることができる。
【００２９】
情報端末３０１の電気的入出力手段３８０にメモリカード２００が接続されると、情報端末３０１からメモリカード２００への情報の書き込み、およびメモリカード２００から情報端末３０１への情報の読み出しが可能である。本発明において、情報端末３０１はパーソナルコンピュータ、スマートフォン、タブレット、ストレージデバイスのいずれかであってよいが、これらに限定されない。たとえば、入力手段３７２や表示手段３７３を持たない何らかの情報端末であってもよい。図３に示す本発明の実施形態の一例では、メモリカードと情報端末３０１は電気的入出力手段を経由して情報の読み出しおよび書き込みを行うが、本発明ではこれに限定されず、たとえば情報端末３０１とメモリカード２００は無線通信を経由して読み出しおよび書き込みを行ってもよい。
【００３０】
以下では図４、図５、図８および図１３に示すフロー図を用いて本発明の実施形態の一例を説明する。はじめに、メモリカード２００の電気的入出力端子２０１と、情報端末３０１の電気入出力手段３８０が接続される（ステップＳ４０１）。次に、情報端末３０１の演算手段３５１がメモリカード２００を一意に特定するためのＩＤ情報を生成し、電気的入出力手段３８０を経由してメモリカードの記憶手段３９１に、カードＩＤ情報３９３として書き込む（ステップＳ４０２）。次にメモリカード２００が情報端末３０１より取り外される。次にメモリカード２００はデジタルカメラなどの撮像端末に接続された後、利用者が撮影した情報を画像情報３９２としてメモリカード２００の記憶手段３９１に画像情報３９２として書き込む（ステップＳ４０３）。
【００３１】
なお、本明細書においては、メモリカード２００には、画像情報が記憶されているとして説明する。ただし、本願発明は、メモリカード２００に画像情報が記憶されていることに限定はされず、音声情報、映像情報、プログラムなどの画像情報以外の情報が記録されている場合にも適用することは可能である。
【００３２】
続いて、図５に示すフロー図を用いて、本発明の実施形態の一例を説明する。メモリカード２００は撮像端末より取り外された後、再度情報端末３０１の電気的入出力手段３８０に接続される（ステップＳ５０１）。次に、情報端末３０１の演算手段３５１は、外部記憶手段３６１に記憶された保存画像情報テーブル３６２の画像情報とカードＩＤ情報を記憶手段３５２に呼び出し、画像情報テーブル３５３に記憶する（ステップＳ５０２）。次に情報端末３０１の演算手段３５１が電気的入出力手段３８０を経由して、メモリカード２００の記憶手段３９１より、画像情報３９２およびカードＩＤ情報３９３を読み出す（ステップＳ５０３）。演算手段３５１は、ステップＳ４０２で読み出した画像情報３９２およびカードＩＤ情報３９３を関連づけた状態で、記憶手段３５２の画像情報テーブル３５３に追加する（ステップＳ５０４）。
【００３３】
図６（ａ）には、ステップＳ５０１以前より画像情報が保存されていた、保存画像情報テーブル３６２の一例を示す。保存画像テーブル３６２は、画像情報の列６１０およびカードＩＤ情報６２０の列を有し、画像情報にカードＩＤ情報を各々関連づけて記憶している。保存画像テーブル３６２は、この他、図６（ａ）に例示すように、各々の画像情報に関連づけて、撮影日時、撮影位置などのメタ情報が記憶されていてもよい。図５（ｂ）に、ステップＳ５０２およびステップＳ５０４で記憶した後の画像情報テーブル３５３の一例を示す。画像情報テーブル３５３は、画像情報の列６５０、カードＩＤの列６６０を有し、画像情報にカードＩＤ情報を各々関連づけて記憶している。画像テーブル３５３はこの他、図６（ｂ）に例示すように、各々の画像情報に関連づけて、撮影日時、撮影位置などのメタ情報が記憶されていてもよい。
【００３４】
図６（ａ）に例示する画像情報６１１乃至６１４およびカードＩＤ情報６２１乃至６２４は、ステップＳ５０１以前にメモリカード２００以外のメモリカードより情報端末３０１が読出して記憶したものである。画像情報６１３および６１４はカードＩＤ情報６２３および６２４を有するメモリカードから読みだされた。画像情報６１１および６１２はカードＩＤ情報を読み出せないメモリカードから読みだされた。例えば、画像情報６１１および６１２は、カードＩＤ情報が記憶されていないメモリカードから読み出された。
【００３５】
図６（ｂ）として例示する画像情報テーブル３５３において、画像情報６５４乃至６５７およびカードＩＤ情報６６４乃至６６７は、ステップＳ５０２で、外部記憶手段の保存画像情報テーブル３６２より読み出され、画像情報テーブル３５３に記憶されたものである。図６（ｂ）に例示する画像情報６５１乃至６５３およびカードＩＤ情報６６１乃至６６３は、ステップＳ５０３およびＳ５０４で、メモリカード２００より読み出され、画像情報テーブル３５３に記憶されたものである。たとえば図６（ｂ）に示す一例では、画像情報６５１はメモリカード２００の記憶手段３９１の画像情報３９２がステップＳ５０３で読み出され、ステップＳ５０４で画像情報テーブル３５３に記憶されたものである。同様にカードＩＤ情報６６１は、メモリカード２００の記憶手段３９１の画像情報３９３がステップＳ５０３で読み出され、ステップＳ５０４で画像情報テーブル３５３に記憶されたものである。そして画像情報テーブル３５３は、これら画像情報６５１にカードＩＤ情報６６１を関連づけて記憶している。
【００３６】
次に情報端末３０１は、ステップＳ５０４で生成された画像情報テーブル３５３に記憶されている情報（内容）を、その通信手段３７１およびネットワーク３００を経由して携帯情報端末１０１に送る（ステップＳ５０５）。携帯情報端末１０１は、その通信手段３３０を経由してこれを受け取り、画像情報テーブル３５３の内容を保存画像情報テーブル３２２に記憶する（ステップＳ５０６）。保存画像情報テーブル３２２がステップＳ５０６以前に、画像情報およびカードＩＤ情報を記憶している場合には、ステップＳ５０５で情報端末３０１より受信した画像情報テーブル３５３の情報を追加して、更新された保存画像情報テーブルとする。なお、保存画像情報テーブル３２２を、携帯情報端末１０１の第１記憶手段という場合がある。また、保存画像情報テーブル３２２に情報を追加したり、更新したり、読み出したり、削除したりなどして保存画像情報テーブル３２２を管理するための手段を、第１記憶管理手段という場合がある。第１記憶管理手段は、携帯情報端末１０１の記憶手段３１２などに記憶され、演算手段３１１により実行されるプログラムによって実現することができる。例えば、第１記憶管理手段は、外部記憶手段３２１との情報の入出力を行うデバイスドライバや、そのようなデバイスドライバを操作するプログラムのモジュールに対応する。また、第１記憶管理手段は、ハードウェアのみ構成によっても実現することができる。
【００３７】
図７には、情報テーブル３５３に記憶されている内容を追加して、更新された保存画像情報テーブル３２２の一例を示す。図７に示す一例では、画像情報７１８および７１９、カードＩＤ情報７２８および７２９がステップＳ５０６以前に保存画像テーブル３２２に記憶されていたものである。画像情報７１１乃至７１７およびカードＩＤ情報７２１乃至７２７がステップＳ５０５で情報端末３０１から受信した画像情報およびカードＩＤ情報である。図７に示す一例では、カードＩＤ情報７２４および７２５は「ＮＵＬＬ」であり、画像情報７１４および７１５に関連づけられたカードＩＤ情報がないことを表している。またカードＩＤ情報７２９は「２０１３５４」であり、これはメモリカード２００のカードＩＤ情報３９３と同じである。したがって、画像情報７１９は、ステップＳ５０１以前に、情報端末３０１経由またはその他の方法によって、携帯情報端末１０１が受信ないし取得し、保存画像情報テーブル３２２に記憶したものである。
【００３８】
なお、図４、図５、図８および図１３で説明する本発明の施形態の一例では、情報端末３０１の画像情報テーブル３５３に記憶された画像情報６５１乃至６５７をそのまま携帯情報端末１０１に送り、これを保存画像情報テーブル３２２に追加した。本発明の実施形態の他の一例によれば、ステップＳ５０５において情報端末３０１は演算手段３５１が画像情報６５１乃至６５７を縮小して携帯情報端末１０１に送り、さらにステップ５０６においては携帯情報端末１０１が縮小された画像情報を保存画像情報テーブル３２２に追加してもよい。この一例の場合は、携帯情報端末１０１で処理される画像情報７１１乃至７１７は各々、情報端末３０１に記憶された画像情報６５１乃至６５７の縮小画像となる。この一例によれば携帯情報端末１０１における外部記憶手段で必要とする容量が少なくて済む。本発明は、複数のメモリカードに記憶された多数の画像情報を、携帯情報端末１０１で一括して管理する際に大きな効果を得ることができる。多数の画像情報を携帯情報端末１０１で記憶すると、外部記憶手段３２１の記憶容量が不足する可能性があるが、この一例によれば外部記憶手段３２１の容量不足の問題を解決できる。この一例の場合、図９、図１１および図１４に示す、表示手段１２３に表示される画像は、縮小された画像情報を表示したものとなる。なお、この一例において情報端末３０１で画像情報テーブル３５３の画像情報を縮小する方法はどのような方法でもよい。
【００３９】
なお、メモリカード２００が、携帯情報端末１０１と通信を行う無線通信機能を有していてもよい。この場合、メモリカード２００が携帯カメラや情報端末３０１に装着され、電源が供給されている状態になると、メモリカード２００は、記憶している画像情報とカードＩＤ情報とを情報端末３０１を経由しないで携帯情報端末１０１に送信する。この場合、携帯情報端末１０１は、通信手段３３０によりメモリカード２００より画像情報とカードＩＤ情報とを受信し、保存画像情報テーブル３２２に、画像情報にカードＩＤ情報を関連付けて記憶する。また、メモリカード２００は、携帯情報端末１０１に装着されて、携帯情報端末１０１が、情報端末３０１およびネットワーク３００を介さずに、メモリカード２００に記憶されている情報を直接読み取り、保存画像情報テーブル３２２に、画像情報にカードＩＤ情報を関連付けて記憶してもよい。
【００４０】
メモリカード２００に記憶されている情報を情報端末３０１に記憶させてから、情報端末３０１から携帯情報端末１０１に情報を送信することにより、情報端末３０１をメモリカード２００に記憶されている情報のバックアップ装置として機能させることができる。複数枚のメモリカードに記憶されている情報を情報端末３０１に記憶させ、一回の情報端末３０１と携帯情報端末１０１との通信により、複数枚のメモリカードに記憶されている情報を携帯情報端末１０１に記憶させることができ、利用者の操作が容易となる。また、上述のように携帯情報端末１０１には、メモリカード２００に記憶されている画像情報の縮小された画像情報を送信するなど、メモリカード２００に記憶されている画像情報の加工を行うことができる。
【００４１】
続いて、図８に示すフロー図を用いて、本発明の実施形態の一例を説明する。携帯情報端末１０１の表示手段１２３が保存画像情報テーブル３１３の画像情報を表示する（ステップＳ８０１）。この一例では、外部記憶手段３２１の有する保存画像情報テーブル３２２を、処理部の記憶手段３１２にコピーし、表示画像情報テーブル３１３を作成し、これを表示手段１２３に表示する。保存画像情報テーブルを記憶手段３１２にコピーせずに表示手段１２３に表示してもよい。図９には、この表示画像情報テーブル３１３に記憶されている画像情報すべてを、タッチスクリーン１２０の表示手段１２３に表示した一例を示す。図９の一例において、画像９０１は図７に示した画像情報７１１を表示したものである。同様に、画像９０２、９０３、９０４、９０５、９０６、９０７、９０８および９０９は、各々画像情報７１２、７１３、７１４、７１５、７１６、７１７、７１８および７１９を表示したものである。
【００４２】
次に、利用者は携帯情報端末１０１の有するカメラなどの光学的読取り手段１０３を使って、図２（ｂ）に示すメモリカード２００を撮影する。この結果カードＩＤコード２１１が読み取られる（ステップＳ８０２）。次に演算手段３１１が、読み取ったカードＩＤコード２１１をカードＩＤ情報に変換する（ステップＳ８０３）。この結果、携帯情報端末１０１は、ステップ撮影した画像を用いて、メモリカード２００の外観を認識する。例えば、バーコードの認識とデコードが行われる。ここで、認識した結果である情報を、光学読取りカードＩＤ情報と呼ぶ。また、メモリカード２００の外観を認識する手段を、認識手段という。認識手段は、携帯情報端末１０１の記憶手段３１２などに記憶され、演算手段３１１により実行されるプログラムによって実現することができる。また、認識手段は、ハードウェアのみ構成によっても実現することができる。
【００４３】
既に述べたとおりカードＩＤコード２１１は、メモリカード２００を一意に特定可能な情報であるので、光学読取りカードＩＤ情報もメモリカード２００を一意に特定可能な情報である。しかし、メモリカード２００において記憶手段３９１に記憶されたカードＩＤ情報３９３と、ラベル２１０に表示されたカードＩＤコード２１１が同一ではない場合があるため、ステップＳ８０３の段階では、光学読取りカードＩＤ情報は保存画像情報テーブル３２２のカードＩＤ情報の列７２０に記憶されたカードＩＤ情報の中で、どのカードＩＤ情報と対応するかは特定できない場合がある。
【００４４】
次に、表示手段１２３に表示された画像情報の一覧の中から、メモリカード２００に記憶されている画像の選択がされる。例えば、携帯情報端末１０１の演算手段３１１が、ステップＳ８０１で光学的読取り手段１０３が取得した、メモリカード２００のラベル２１０を表示手段１２３に表示する。加えて、表示手段１２３に表示された画像情報の一覧の中から、携帯情報端末１０１の利用者に対してメモリカード２００に記憶されている画像を選択するように指示する画像を、表示手段１２３に表示する（ステップＳ８０４）。図１０には、ステップＳ８０４でタッチスクリーン１２０の表示手段１２３に表示した画像の一例を示す。この画像は、ステップＳ８０２で光学的に読み取ったメモリカード２００の外観画像１００１、およびそのメモリカードに記憶された画像を選択するよう要求する画像１００２を含む。したがって、ステップＳ８０２で光学的に読み取ったメモリカード２００の外観画像１００１およびそのメモリカードに記憶された画像を選択するよう要求する画像１００２を表示することにより、外観画像１００１の認識が携帯情報端末１０１の認識手段により行われたことを利用者に知らせることができる。
【００４５】
なお、このように選択をする手段を、選択手段という。選択手段は、タッチスクリーン１２０というハードウェアと、携帯情報端末１０１の記憶手段３１２などに記憶され、演算手段３１１により実行されるプログラムと、の組み合せによって実現することができる。また、選択手段は、ハードウェアのみ構成によっても実現することができる。
【００４６】
このようにメモリカードに記憶された画像を選択することにより、カードＩＤ情報とメモリカードの外観から得られる光学読み取りカードＩＤ情報との関連付けを容易にかつ正確に行うことができる。また、複数枚のメモリカードに記憶されている情報が一度に携帯情報端末１０１に記憶されても、利用者は時間があいたときなど好きな時に、カードＩＤ情報とメモリカードの外観から得られる光学読み取りカードＩＤ情報との関連付けを行うことができる。
【００４７】
なお、メモリカード２００に、画像情報以外の情報が記憶されている場合には、表示手段１２３に画像情報を表示する代わりに、画像情報以外の情報を表わすアイコンなどの画像や、画像情報以外の情報を格納しているファイル名や属性情報を表示することができる。
【００４８】
ここで説明する本発明の実施形態の一例では、ステップＳ８０４で表示手段１２３に表示するメモリカード２００の外観画像１００１として、ステップＳ８０２で読み取られた画像を用いている。本発明の他の実施形態の一例では、携帯情報端末１０１の外部記憶手段３２１にカード外観画像テーブル３２３を有し、カード外観画像テーブルに記憶されたメモリカードの外観画像を外観画像１００１として用いてもよい。この場合、カード外観画像テーブル３２３は、カード外観画像と各々に対応する光学読取りカードＩＤ情報を関連づけて記憶している。
【００４９】
次に、タッチスクリーン１２０の入力手段１２１に利用者が接触することで、メモリカード２００に記憶された画像のうち１つが選択される（ステップＳ８０５）。図１１には、ステップＳ８０５における画像選択のための画像の一例を示す。図１１の一例における画像１１０１乃至１１０９は、各々図９の画像９０１乃至画像９０９に対応する。また画像１１０１乃至１１０９の各々に対応する、画像選択のためのチェックボックスが表示されている。たとえば、画像１１１１は、画像１１０１を選択するためのチェックボックスである。図１１に示す一例では、利用者がタッチスクリーン１２０のチェックボックス１１１２に接触することで、画像１１０２を選択している。画像選択の方法は、チェックボックスに限定されず、タッチスクリーン上で画像を選択できる方法であれば、どのような方法であってもよい。
【００５０】
ステップＳ８０５で選択された画像情報１１０２は、保存画像情報テーブル３２２に記憶されている画像情報７１２が表示されたものである。そこで次に、画像情報７１２で保存画像情報テーブル３２２を検索し、検索結果としてこれに関連づけられたカードＩＤ情報７２２を抽出する（ステップＳ８０６）。ここで読み出されたカードＩＤ情報７２２をユーザ選択カードＩＤ情報と呼ぶ。このユーザ選択カードＩＤ情報は、ステップ５０３でメモリカード２００より電気的に読み出され、情報端末３０１およびネットワーク３００を経由して携帯情報端末１０１に記憶された情報でもある。このステップＳ８０６の検索は、外部記憶手段にある保存画像情報テーブル３２２に対して行ってもよく、またこの検索は、処理部３１０に保存画像情報テーブル３２２に記憶されている画像情報にカードＩＤ情報を関連付けてコピーがされた表示画像情報テーブル３１３に対して行ってもよい。このように検索を行う手段を検索手段という。検索手段は、携帯情報端末１０１の記憶手段３１２などに記憶され、演算手段３１１により実行されるプログラムによって実現することができる。また、検索手段は、ハードウェアのみ構成によっても実現することができる。
【００５１】
ステップＳ８０６の検索によって、携帯情報端末１０１は、メモリカードのラベルに表示されたカードＩＤコード２１１から取得された光学読取りカードＩＤ情報と、電気的入出力端子２０１などを経由して取得されたユーザ選択カードＩＤ情報７２２とが、同じメモリカード２００を指し示すＩＤ情報であるとして処理することが可能となる。次に、この対応関係を外部記憶手段３２１のカードＩＤ対応テーブル３２４に記憶する（ステップＳ８０７）。
【００５２】
図１２にカードＩＤ対応テーブル３２４の一例を示す。カードＩＤ対応テーブル３２４は、光学読取りカードＩＤ情報の列１２１０およびユーザ選択カードＩＤ情報の列１２２０を有する。図１２の一例では、カードＩＤ対応テーブル３２４には、ステップＳ８０３で得られた光学読取りカードＩＤ情報１２１１と、ステップＳ８０６で得られたユーザ選択ＩＤ情報１２２１が関連づけて記憶される。このようにカードＩＤ対応テーブル３２４は、メモリカードの外観に表示されたメモリカードのＩＤと、電気的に読み出し可能なメモリカードのＩＤの対応関係を記憶するテーブルである。図７を参照すれば、たとえば携帯情報端末１０１は、メモリカード２００のほかに、カードＩＤ情報７２６を有するメモリカード、およびカードＩＤ情報７２８を有するメモリカードより取得された画像情報を記憶していることがわかる。図１２においてはこれらが各々ユーザ選択ＩＤ情報１２２２および１１２２３であり、カードＩＤテーブルではこれら各々に対応する光学読取りカードＩＤ情報として１２１２および１２１３が関連づけて記憶されている。
【００５３】
以上図４、図５、および図８で説明した処理が、特定のメモリカードに記憶された写真を、携帯情報端末１０１で選択的に表示するための準備である。これらの処理は、メモリカード１つにつき１回のみ実行される。ステップＳ８０７以降、携帯情報端末１０１がメモリカード２００のカードＩＤコードを光学的に再度読み取り認識をすると、カードＩＤ対応テーブル３２４を検索することにより、メモリカード２００のカードＩＤコードが再度読み取られ認識されたことを検出することができる。このため、携帯情報端末１０１は、以下の図１３の処理のみを実行することができる。カードＩＤ対応テーブル３２４を、第２記憶手段という場合がある。また、カードＩＤ対応テーブル３２４に情報を追加したり、更新したり、読み出したり、削除したりなどしてカードＩＤ対応テーブル３２４を管理するための手段を、第２記憶管理手段という場合がある。第１記憶管理手段は、携帯情報端末１０１の記憶手段３１２などに記憶され、演算手段３１１により実行されるプログラムによって実現することができる。例えば、第２記憶管理手段は、外部記憶手段３２１との情報の入出力を行うデバイスドライバや、そのようなデバイスドライバを操作するプログラムのモジュールに対応する。また、第２記憶管理手段は、ハードウェアのみ構成によっても実現することができる。
【００５４】
図１３に示すフローチャートを用いて、本発明の実施形態の一例として、特定のメモリカードに記憶された画像情報を携帯情報端末で選択的に表示するため処理について説明する。ここに選択的に表示するとは、特定のメモリカードとは異なるメモリカードに記憶されている画像情報を表示しないようにすることをいう。この一例では、利用者は携帯情報端末１０１に記憶された複数のメモリカードから取得された画像情報の中から、メモリカード２００に記憶された画像情報のみを表示させて、利用者がメモリカード２００に記憶された内容を確認する場合について説明する。記憶された画像情報を確認する対象であるメモリカード２００の外観に含まれるラベル２１０を携帯情報端末１０１の光学的読み取り手段１０３で撮影し（ステップＳ１３０１）、メモリカード２００の外観の認識が行われる。認識の結果は、図２に示す一例では、カードＩＤコード２１１から読み取られる読取りカードＩＤ情報である「８４６５１２」１２１１である。次に、携帯情報端末１０１の演算手段３１１が、この読取りカードＩＤ情報１２１１を検索キーとしてカードＩＤ対応テーブル３２４の、光学読取りカードＩＤ情報の列１２２０を検索する。この検索結果として、光学読取りカードＩＤ情報１２１１に対応するユーザ選択カードＩＤ情報１２２１を得る（ステップＳ１３０２）。図１２に示す一例では、検索されたユーザ選択カードＩＤ情報は「２０１３５４」である。次に演算手段３１１が、ステップＳ１３０２で得たユーザ選択カードＩＤ情報１２２１を検索キーとして、図７に例示された、保存画像情報テーブル３２２のカードＩＤ情報の列７２０を検索する。この検索結果として、画像情報７１１、７１２、７１３および７１９を得る（ステップＳ１３０３）。そして、携帯情報端末３１０の表示手段１２３が、これらの画像情報を表示する（ステップＳ１３０４）。
【００５５】
図１４には、ステップＳ１３０４の結果、表示手段１２３に表示された画像の一例を示す。ステップＳ１３０３で検索された画像情報７１１、７１２、７１３および７１９が各々、画像１４０１、１４０２、１４０３および１４０９として、表示手段１２３に表示されている。また、図１４の一例では、メモリカード２００の外観画像１４０１が表示され、図１４に表示された画像がどのメモリカードに記憶されたものであるかを明示的に表示している。また本発明の一実施形態では、図１４の一例のように、メモリカードのタイトル１４１１を表示してあってもよい。これらの場合は、たとえばカードＩＤ対応テーブル３２４に、カード外観情報の列やメモリカードのタイトル情報の列を付加し、光学読取りカードＩＤ情報およびユーザ選択カードＩＤ情報と関連づけて記憶しておくことで実現可能である。図９は、複数のメモリカードに記憶された画像が一括して表示されているのに対して図１４では、メモリカード２００に記憶された画像のみが、選択的に表示されている。このように、携帯情報端末１０１の利用者は、メモリカード２００の外観を撮影するだけで、メモリカード２００の記憶している画像情報を確認することができる。
【００５６】
また、メモリカード２００に、画像情報以外の情報が記憶されている場合には、例えば、音楽情報がファイルの形式などにより記憶されている場合には、メモリカード２００の外観を撮影すると、メモリカード２００の記憶している音楽情報のタイトルなどを表示することもできる。これにより、音楽情報を全て視聴せずに、メモリカード２００に記憶されている音楽情報についての情報を得ることができる。動画情報についても同様である。また、メモリカード２００に画像情報が記憶されている場合には、上述のようにデジタルカメラにより多数の画像情報が多数のメモリカードに記録されている場合が多く、どのメモリカードにどのような画像情報が記憶されているかをより簡単に把握することができる。
【００５７】
なお、図７を参照するとたとえば、カードＩＤ情報７２６および７２７は、上記ステップＳ１３０３で検索されたものとは異なるユーザ選択カードＩＤ情報である。したがって画像情報７１６および７１７は、メモリカード２００以外のメモリカードより携帯情報端末１０１が取得したものであり、図４、図５、および図８に相当する処理を経て、画像情報が記憶されているメモリカードが特定可能な状態にある。また、カードＩＤ情報７２４および７２５は、ＮＵＬＬである。したがって画像情報７１４よび７１５は、どのメモリカードに記憶されている画像かが不明である。また、画像７１９はメモリカード２００のユーザ選択カードＩＤ情報７２９に関連づけられている。ステップ５０６では、保存画像情報テーブル３２２に画像情報７１１乃至７１３が記憶されたのみであり、画像情報７２９は記憶されなかった。この画像情報７２９は、ステップＳ８０７とステップＳ１３０１の間に、メモリカード２００より、そのカードＩＤ情報３９３と関連づけられて携帯情報端末１０１が取得したものであるが、図８に示す処理は行われていない。
【００５８】
以上、図４、図５、図８および図１３のフロー図では、本発明の実施形態の一例として、メモリカードからの電気的読出しが可能なカードＩＤ情報と、光学的読出しが可能なカードＩＤ情報の対応関係を、カードＩＤ対応テーブル３２４に記憶する方法について説明した。しかし、本発明は光学的読出しが可能なカードＩＤと電気的読出し可能なカードＩＤとの対応関係をどのような状態で記憶していてもよい。たとえば本発明の実施形態の他の一例としては、ステップＳ８０３において取得た光学読取りＩＤ情報を、カードＩＤ対応テーブル３２４ではなく、保存画像情報テーブル３２２に記憶してもよい。この場合は、ステップＳ８０６で得られたユーザ選択カードＩＤ情報に関連づけられた画像情報７１１、７１２、７１３、および７１９に関連づけて、ステップ８０３で得られた光学読取りＩＤ情報を記憶しておいてもよい。
【００５９】
なお、以上の説明では、携帯情報端末１０１は情報端末３０１を経由してメモリカード２００の画像情報３９２およびカードＩＤ情報３９３を取得したが、本発明の実施形態の他の一例では、電気的入出力手段を有する携帯情報端末１０１が、メモリカード２００を直接携帯情報端末１０１に接続することで、画像情報３９２およびカードＩＤ情報３９３を取得してもよい。
【００６０】
また、以上の説明において、携帯情報端末１０１は、携帯可能な端末である。ただし、本発明は、携帯可能な端末に限定されることはなく、デスクトップ型のパーソナルコンピュータにおいても実施することが可能である。
【００６１】
上述のように、携帯情報端末１０１は、携帯情報端末１０１の記憶手段３１２などに記憶されているプログラムを、演算手段３１１により実行することにより実現できる。このようなプログラムまたはこのようなプログラムを携帯情報端末１０１にインストールするプログラムを、携帯情報端末１０１と通信が可能なサーバに蓄積しておき、携帯情報端末１０１がそのサーバと通信を行い、プログラムを記憶手段３１２に記憶させてもよい。また、プログラムを、メモリカードなどの記憶媒体に記憶させておき、その記憶媒体に記憶されているプログラムを携帯情報端末１０１に読み取らせてもよい。
【要約】
【課題】メモリカードに記憶されたファイルに関する情報を携帯情報端末の表示部に選択的に出力することで、メモリカードの内容を確認する。
【解決手段】メモリカードに記憶されている複数のファイルにカードＩＤ情報を関連付けて第１記憶手段に記憶し、メモリカードの外観を認識し、第１記憶手段に記憶されているファイルの選択をし、選択をされた画像情報に関連付けているカードＩＤ情報の検索をし、メモリカードの外観を認識した結果に、検索がされたカードＩＤ情報を、関連付けて記憶し、メモリカードのいずれかの外観の認識を再度すると、再度の認識の結果に関連付けて記憶されているカードＩＤ情報に関連づけて記憶されているファイルに関する情報を出力する。
【選択図】図８【図１】
0005800261.tif 000002
【図２】
0005800261.tif 000003
【図３】
0005800261.tif 000004
【図４】
0005800261.tif 000005
【図５】
0005800261.tif 000006
【図６】
0005800261.tif 000007
【図７】
0005800261.tif 000008
【図８】
0005800261.tif 000009
【図９】
0005800261.tif 000010
【図１０】
0005800261.tif 000011
【図１１】
0005800261.tif 000012
【図１２】
0005800261.tif 000013
【図１３】
0005800261.tif 000014
【図１４】
0005800261.tif 000015